(57)【要約】【課題】入力ペンを備えたプロジェクターシステムで、使用後に入力ペンを所定の場所に戻し忘れるのを防止することができるプロジェクターシステムを提供する。【解決手段】プロジェクターシステム１００が動作中に電源オフ操作を受け付けたとき（ステップＳ１０１）、少なくとも一つの入力ペン４１がペン収納部４２に収納されていない場合（ステップＳ１０２：Ｎ）、警告メッセージＭ１を画像投写手段１０により投写し（ステップＳ１０３）、全ての入力ペン４１がペン収納部４２に収納された場合（ステップＳ１０５：Ｙ）、プロジェクターシステム１００の電源をオフする（ステップＳ１０８）。【選択図】図４
2014066962.tif 000002
【特許請求の範囲】
【請求項１】
画像を投写する画像投写手段を備えたプロジェクターと、１つ以上の入力ペンと、前記入力ペンを収納するペンホルダーと、を有するプロジェクターシステムであって、
前記ペンホルダーは、
前記入力ペンが収納されているか否かを検出するペン検出手段と、
当該プロジェクターシステムを制御する制御手段と、を備え、
前記制御手段は、当該プロジェクターシステムが電源オフ操作を受け付けたとき、前記ペン検出手段により、全ての前記入力ペンが前記ペンホルダーに収納されるまで電源オフを保留する、ことを特徴とする、プロジェクターシステム。
【請求項２】
請求項１に記載のプロジェクターシステムであって、
前記制御手段は、前記ペン検出手段により、少なくとも一つの前記入力ペンが前記ペンホルダーより取り出されたことを検出した場合に前記プロジェクターの電源をオンする、ことを特徴とする、プロジェクターシステム。
【請求項３】
請求項１または２に記載のプロジェクターシステムであって、
前記ペンホルダーは、
入力操作を受け付ける入力操作手段と、
前記入力ペンが前記ペンホルダーから取り出されるのを阻止するペンロック機構をさらに備え、
前記制御手段は、前記入力操作手段が所定のロック操作または解除操作を受け付けた場合に、前記ペンロック機構をロック状態または解除状態にする、ことを特徴とする、プロジェクターシステム。
【請求項４】
請求項１から３のいずれか一項に記載のプロジェクターシステムであって、
前記ペンホルダーは、当該プロジェクターシステムが電源オフ操作を受け付けたとき、前記ペン検出手段により、少なくとも一つの前記入力ペンが前記ペンホルダーに収納されていないことを検出した場合に報知する報知手段をさらに備えたことを特徴とする、プロジェクターシステム。
【請求項５】
画像を投写する画像投写手段を備えたプロジェクターと、１つ以上の入力ペンと、前記入力ペンを収納するペンホルダーと、を有するプロジェクターシステムの制御方法であって、
前記ペンホルダーは、
前記入力ペンが収納されているか否かを検出するペン検出ステップと、
前記プロジェクターが電源オフ操作を受け付けたとき、前記ペン検出ステップにより、全ての前記入力ペンが前記ペンホルダーに収納されるまで電源オフを保留する、制御ステップを有することを特徴とする、プロジェクターシステムの制御方法。
【発明の詳細な説明】
【技術分野】
【０００１】
本発明は、画像を投写するプロジェクターシステム、およびプロジェクターシステムの制御方法に関する。
【背景技術】
【０００２】
学校の授業などで、プロジェクターを使う場合、投写した画像に文字や図形を書きこんで説明したいことがあった。この場合、画像データを入力するパーソナルコンピューター（パソコン／ＰＣ）の画面上でマウスなどのポインディングデバイスを操作し、文字や図形を入力する方法の他、近年では下記の特許文献１のように、スクリーン上に投写した画像上でペン型の入力装置を操作し、文字や図形を書きこむ装置が開示されている。
【先行技術文献】
【特許文献】
【０００３】
【特許文献１】特開２０１１−１４０１５４号公報
【発明の概要】
【発明が解決しようとする課題】
【０００４】
しかしながら、特許文献１のプロジェクターではプロジェクターとペン型の入力装置を別々に扱うため、プロジェクターを使用終了後にペン型の入力装置を元の場所に戻すのを忘れ、なくしてしまう虞があった。
【課題を解決するための手段】
【０００５】
本発明は、上述の課題の少なくとも一部を解決するためになされたものであり、以下の形態または適用例として実現することが可能である。
【０００６】
［適用例１］本適用例に係るプロジェクターシステムは、画像を投写する画像投写手段を備えたプロジェクターと、１つ以上の入力ペンと、前記入力ペンを収納するペンホルダーと、を有するプロジェクターシステムであって、前記ペンホルダーは、前記入力ペンが収納されているか否かを検出するペン検出手段と、当該プロジェクターシステムを制御する制御手段と、を備え、前記制御手段は、当該プロジェクターシステムが電源オフ操作を受け付けたとき、前記ペン検出手段により、全ての前記入力ペンが前記ペンホルダーに収納されるまで電源オフを保留することを特徴とする。
【０００７】
本適用例によれば、プロジェクターシステムが電源オフ操作を受け付けたとき、全ての入力ペンがペンホルダーに収納されるまで電源オフを保留する。これにより、プロジェクターを使用終了後に入力ペンをペンホルダーに戻すようユーザーに促し、入力ペンがペンホルダーに収納されない状態のままプロジェクターシステムの電源がオフされるのを防止することが可能となる。
【０００８】
［適用例２］上記適用例に記載のプロジェクターシステムにおいて、前記制御手段は、前記ペン検出手段により、少なくとも一つの前記入力ペンが前記ペンホルダーより取り出されたことを検出した場合に前記プロジェクターの電源をオンすることを特徴とする。
【０００９】
本適用例によれば、少なくとも一つの入力ペンをペンホルダーから取り出したときにプロジェクターシステムが電源オンするので、プロジェクターシステムを使用する際、入力ペンを取り出すだけで電源オン操作を省略することが可能となる。
【００１０】
［適用例３］上記適用例に記載のプロジェクターシステムにおいて、前記ペンホルダーは、入力操作を受け付ける入力操作手段と、前記入力ペンが前記ペンホルダーから取り出されるのを阻止するペンロック機構をさらに備え、前記制御手段は、前記入力操作手段が所定のロック操作または解除操作を受け付けた場合に、前記ペンロック機構をロック状態または解除状態にする、ことを特徴とする。
【００１１】
本適用例によれば、所定のロック操作でペンホルダーからの入力ペンの取り出しをロックできるので、ペンホルダーから不正に入力ペンが持ち出されるのを防止することが可能となる。
【００１２】
［適用例４］上記適用例に記載のプロジェクターシステムにおいて、前記ペンホルダーは、当該プロジェクターシステムが電源オフ操作を受け付けたとき、前記ペン検出手段により、少なくとも一つの前記入力ペンが前記ペンホルダーに収納されていないことを検出した場合に報知する報知手段をさらに備えたことを特徴とする。
【００１３】
本適用例によれば、プロジェクターシステムが電源オフ操作を受け付けたとき、少なくとも一つの入力ペンがペンホルダーに収納されていない場合に、ペンホルダーに備えられた報知手段により報知するので、ペンホルダーに入力ペンを収納するようユーザーに促すことが可能となる。
【００１４】
［適用例５］本適用例に係るプロジェクターシステムの制御方法は、画像を投写する画像投写手段を備えたプロジェクターと、１つ以上の入力ペンと、前記入力ペンを収納するペンホルダーと、を有するプロジェクターシステムの制御方法であって、前記ペンホルダーは、前記入力ペンが収納されているか否かを検出するペン検出ステップと、前記プロジェクターが電源オフ操作を受け付けたとき、前記ペン検出ステップにより、全ての前記入力ペンが前記ペンホルダーに収納されるまで電源オフを保留する、制御ステップを有することを特徴とする。
【００１５】
本適用例によれば、プロジェクターシステムが電源オフ操作を受け付けたとき、全ての入力ペンがペンホルダーに収納されるまで電源オフを保留する。これにより、プロジェクターを使用終了後に入力ペンをペンホルダーに戻すようユーザーに促し、入力ペンがペンホルダーに収納されない状態のままプロジェクターシステムの電源がオフされるのを防止することが可能となる。
【図面の簡単な説明】
【００１６】
【図１】プロジェクターシステムの設置状態を示す図。
【図２】ペンホルダーの斜視図。
【図３】プロジェクターシステムの回路構成を示すブロック図。
【図４】プロジェクターシステムの動作を示すフローチャートであり、（ａ）はプロジェクターシステムが電源オフ操作を検出したとき、（ｂ）はプロジェクターシステムがスタンバイ中に入力ペンが取り出されたことを検出したと、（ｃ）はプロジェクターシステムが入力ペンのロックまたは解除操作を検出したときの動作を示すフローチャート。
【図５】警告メッセージを示す図。
【発明を実施するための形態】
【００１７】
以下、図面を参照して本発明の一実施形態について説明するが、以下の実施形態は特許請求の範囲にかかる発明を限定するものではなく、また、実施形態における特徴の組み合わせの全てが発明の解決手段に必須であるとは限らない。
【００１８】
（第１実施形態）
図１は本実施形態のプロジェクターシステム１００の設置状態を示す図である。
図１に示すように、プロジェクターシステム１００は、プロジェクター１と、入力ペン４１と、ペンホルダー４０により構成されている。
プロジェクター１が画像（投写画像）を投写するスクリーンＳＣの被投写面上で、入力ペン４１を使って描画操作を行うと、プロジェクター１のペン操作検出手段２５（図３参照）が入力ペン４１の操作軌跡を検出し、プロジェクター１は現在の投写画像に検出した入力ペン４１の操作軌跡を重畳してスクリーンＳＣの被投写面に投写する。
プロジェクター１とペンホルダー４０とは、無線またはケーブルＣＡを介して接続され、ペンホルダー４０とプロジェクター１との間で通信可能になっている。
【００１９】
図３は本実施形態のプロジェクターシステム１００の回路構成を示すブロック図である。
図３に示すように、プロジェクターシステム１００は、プロジェクター１、ペンホルダー４０、および入力ペン４１等から構成されている。
プロジェクター１は、画像入力端子６、画像投写手段１０、ＯＳＤ処理手段１６、画像信号処理手段１７、画像信号入力手段１８、光源制御手段２２、ペン操作検出手段２５、第１電源部２９等で構成されており、これらはプロジェクター１の筐体の内部または外面に収容されている。
ペンホルダー４０は、制御手段４４、記憶手段４５、報知手段４６、ペン収納部４２、入力操作手段４３、ペン検出手段４７、第２電源部４８等で構成されており、これらはペンホルダー４０の筐体の外面および内部に収容されている。
【００２０】
図２はペンホルダー４０の斜視図である。図２に示すように、ペンホルダー４０は、筐体４９の上面４９ａに、入力ペン４１を収納するペン収納部４２が備えられており、複数の入力ペン４１を挿入して収納できるようになっている。ペン収納部４２の近傍には、ペン収納部４２を覆うことができるペンカバー４２Ａと、プロジェクターシステム１００の状態を報知する報知手段４６が備えられている。ペンカバー４２Ａは、図示しないペンロック機構４２Ｂにより閉じた状態でロックできるようになっており、ペンロック機構４２Ｂによりペンカバー４２Ａがロックされた状態では入力ペン４１を取り出すことができない。
ペンホルダー４０の筐体４９の上面４９ａと隣接する面４９ｂには入力操作を受け付ける入力操作手段４３が備えられている。また、ペンホルダー４０の筐体４９の内部、ペン収納部４２の近傍には入力ペン４１の収納状態を検出するペン検出手段４７が備えられている。
【００２１】
図３に示すように、プロジェクター１とペンホルダー４０とはケーブルＣＡを介して接続され、ペンホルダー４０からプロジェクター１へ各種制御信号が入力され、またプロジェクター１からペンホルダー４０に各種状態信号が入力される。
具体的にはペンホルダー４０の制御手段４４からプロジェクター１の画像信号入力手段１８、画像信号処理手段１７、ＯＳＤ処理手段１６、光源制御手段２２、第１電源部２９へ制御信号が入力される。また、プロジェクター１のペン操作検出手段２５からペンホルダー４０の制御手段４４にペン操作情報が入力される。
【００２２】
画像投写手段１０は、光源１１、光変調装置としての３つの液晶ライトバルブ１２（１２Ｒ，１２Ｇ，１２Ｂ）、投写光学系としての投写レンズ１３、液晶駆動手段１４等を含んで構成されている。画像投写手段１０は、光源１１から射出された光を、液晶ライトバルブ１２Ｒ，１２Ｇ，１２Ｂで変調し、投写レンズ１３から投写することによって投写面としてのスクリーンＳＣ等に画像を表示する。
【００２３】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。
光源１１から射出された光は、図示しないインテグレーター光学系によって輝度分布が略均一な光に変換され、図示しない色分離光学系によって光の３原色である赤色（Ｒ），緑色（Ｇ），青色（Ｂ）の各色光成分に分離された後、それぞれ液晶ライトバルブ１２Ｒ，１２Ｇ，１２Ｂに入射する。
【００２４】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリックス状に配列された複数の画素（図示せず）が形成されており、液晶に対して画素毎に駆動電圧を印加可能になっている。
液晶駆動手段１４が、入力される画像情報に応じた駆動電圧を各画素に印加すると、各画素は、画像情報に応じた光透過率に設定される。このため、光源１１から射出された光は、この液晶ライトバルブ１２Ｒ，１２Ｇ，１２Ｂを透過することによって変調され、画像情報に応じた画像光が色光毎に形成される。
形成された各色の画像光は、図示しない色合成光学系によって画素毎に合成されてカラーの画像光となった後、投写レンズ１３によってスクリーンＳＣ等に拡大投写される。
【００２５】
本実施形態では、光源１１として光源ランプ１１ａを用いて投写するプロジェクターシステム１００を例示したが、本発明は光源としてＬＥＤ（Light Emitting Diode）光源やレーザー光源などを用いて投写するプロジェクターシステムにも適用することができる。
【００２６】
なお、本実施形態では、画像投写手段１０は、光変調装置としての３つの液晶ライトバルブ１２Ｒ，１２Ｇ，１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００２７】
画像信号入力手段１８は、複数の画像入力端子６より、ビデオ再生装置やパーソナルコンピューター等、外部の画像出力装置から、図示しないケーブル、又は通信機器などを介して画像情報が入力される。入力された画像情報は、制御手段４４の指示に基づき、画像信号処理手段１７に出力される。
本実施形態では画像入力端子６、および画像信号入力手段１８はプロジェクター１に備えられているが、ペンホルダー４０側に備え、ケーブルＣＡを介してペンホルダー４０からプロジェクター１に画像情報を供給するようにしても良い。
【００２８】
画像信号処理手段１７は、画像信号入力手段１８から入力される画像情報を、液晶ライトバルブ１２Ｒ，１２Ｇ，１２Ｂの各画素の階調を表す画像情報に変換する。ここで、変換された画像情報は、赤色（Ｒ），緑色（Ｇ），青色（Ｂ）の色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素を透過し射出する光の強弱（階調）が規定される。
【００２９】
ＯＳＤ処理手段１６は、制御手段４４の指示に基づいて、投写画像にメニュー画像やメッセージ画像等のＯＳＤ（オンスクリーンディスプレイ）画像を重畳して表示するための処理を行う。ＯＳＤ処理手段１６は、図示しないＯＳＤメモリーを備えており、ＯＳＤ画像を形成するための図形やフォント等を表すＯＳＤ画像情報を記憶している。
【００３０】
制御手段４４が、ＯＳＤ画像の重畳表示を指示すると、ＯＳＤ処理手段１６は、必要なＯＳＤ画像情報をＯＳＤメモリーから読み出し、投写画像の所定の位置にＯＳＤ画像が重畳されるように、画像信号処理手段１７から入力される画像情報にこのＯＳＤ画像情報を合成する。ＯＳＤ画像情報が合成された画像情報は、液晶駆動手段１４に出力される。
なお、制御手段４４からＯＳＤ画像を重畳する旨の指示がない場合には、ＯＳＤ処理手段１６は、画像信号処理手段１７から入力される画像情報を、そのまま液晶駆動手段１４に出力する。
【００３１】
液晶駆動手段１４は、ＯＳＤ処理手段１６から入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像（投写画像）を形成し、この画像が投写レンズ１３から投写される。
【００３２】
光源制御手段２２は、制御手段４４の指示に基づいて、光源１１に対する電力の供給と停止とを制御し、光源１１の点灯、及び消灯を切り替える。
【００３３】
ペン操作検出手段２５は、図示しない撮像素子などで構成され、制御手段４４の指示に基づいて、入力ペン４１の位置、ペン先スイッチ（図示せず）の押下状態を検出してそのペン操作情報を制御手段４４に通知する。
【００３４】
第１電源部２９には、図示しない電源端子を介してＡＣ１００Ｖ等の電力が外部から供給される。第１電源部２９は、入力した電力（交流電力）を所定の直流電力に変換して、プロジェクター１の各部に電力を供給する。
また、第１電源部２９は、制御手段４４の指示に基づいて、プロジェクター１の動作に必要な電力（動作電力）を各部に供給する状態（電源オン状態）と、動作電力の供給を停止して、電源をオンにするための操作を待機する状態（スタンバイ状態）とを切り替えることができる。
【００３５】
制御手段４４は、ＣＰＵ（Central Processing Unit）や、各種データ等の一時記憶に用いられるＲＡＭ（Random Access Memory）等を備え、記憶手段４５に記憶されている制御プログラム（図示せず）に従って動作することによりプロジェクターシステム１００の動作を統括制御する。つまり、制御手段４４は、記憶手段４５とともにコンピューターとして機能する。
【００３６】
記憶手段４５は、フラッシュメモリーやＦｅＲＡＭ等の書き換え可能な不揮発性のメモリーにより構成されており、プロジェクターシステム１００の動作を制御するための制御プログラムや、プロジェクターシステム１００の動作条件等を規定する各種設定データ等が記憶されている。
【００３７】
報知手段４６はＬＥＤ、ブザーなどで構成され、制御手段４４からの指示により、プロジェクターシステム１００の各種動作状態をユーザーに報知する。本実施形態では、プロジェクターシステム１００が電源オフ操作を受け付けたとき、少なくとも一つの入力ペン４１がペン収納部４２に収納されていない状態を報知する。
【００３８】
入力操作手段４３は、ユーザーがプロジェクターシステム１００に対して各種指示を行うための複数の操作キーを備えている。入力操作手段４３が備える操作キーとしては、電源のオン・オフを交互に切り替えるための電源キーや、複数の画像入力端子６を切り替えるための入力切替キー、設定メニュー等を重畳表示させるためのメニューキー、設定メニュー等で項目の選択に用いられる方向キー（上下左右に対応する４つの操作キー）、選択された項目を確定させる決定キー、動作の取り消し等を行うための取消キー、ペンロック機構４２Ｂによりペンカバー４２Ａをロックまたは解除するための数字キー等がある。
【００３９】
ユーザーが入力操作手段４３の各種操作キーを操作すると、入力操作手段４３は、ユーザーの操作内容に応じた操作信号を制御手段４４に出力する。なお、入力操作手段４３は、リモートコントローラー（リモコン）信号受信手段（図示せず）と遠隔操作が可能なリモートコントローラー（図示せず）を有した構成としてもよい。
この場合、リモートコントローラーは、ユーザーの操作内容に応じた赤外線等の操作信号を発し、リモコン信号受信手段がこれを受信して制御情報として制御手段４４に伝達する。
【００４０】
ペン収納部４２は入力ペン４１を収納後にカバーするペンカバー４２Ａ（図２参照）と、ペンカバー４２Ａの開閉をロックするペンロック機構４２Ｂを備える。
ペンロック機構４２Ｂはソレノイドやモーターおよびギア機構等から構成され、制御手段４４からの制御により作動し、ペンカバー４２Ａを閉じ位置に保持するロック状態、またはペンカバー４２Ａの保持を解除して開閉自在とする解除状態のいずれかにするものである。ペンロック機構４２Ｂのロック状態と解除状態は、入力操作手段４３の数字キー入力などによる操作により切り替わる。
本実施形態のペンロック機構４２Ｂは、ペンカバー４２Ａをロックするよう構成されているが、入力ペン４１がペンホルダー４０から取り出されるのを妨げるものであれば良く、例えば入力ペン４１自体を係止するものでも良い。
【００４１】
ペン検出手段４７は光学式センサー、メカスイッチなどで構成され、ペン収納部４２に入力ペン４１が収納されているか否かの検出結果を制御手段４４に通知する。ペン収納部４２に複数の入力ペン４１が収納される場合、それぞれの入力ペン４１の収納状態が検出される。
【００４２】
第２電源部４８には、図示しない電源端子を介してＡＣ１００Ｖ等の電力が外部から供給される。第２電源部４８は、入力した電力（交流電力）を所定の直流電力に変換して、ペンホルダー４０の各部に電力を供給する。
また、第２電源部４８は、制御手段４４の指示に基づいて、ペンホルダー４０の動作に必要な電力（動作電力）を各部に供給する状態（電源オン状態）と、動作電力の供給を停止して、電源をオンにするための操作を待機する状態（スタンバイ状態）とを切り替えることができる。制御手段４４は第２電源部４８と、第１電源部２９に指示し、プロジェクターシステム１００を電源オン状態またはスタンバイ状態に切り替える。
【００４３】
次に、本実施形態のプロジェクターシステムの動作を図４のフローチャートを用いて説明する。図４（ａ）はプロジェクターシステム１００が動作中に電源オフ操作を検出したとき、図４（ｂ）はプロジェクターシステム１００がスタンバイ中にペンホルダー４０より入力ペン４１が取り出されたことを検出したとき、図４（ｃ）はプロジェクターシステム１００が入力ペン４１のロックまたは解除操作を検出したときの動作を示す。
【００４４】
［電源オフ操作を検出したとき］
図４（ａ）に示すように、プロジェクターシステム１００が動作中に、入力操作手段４３の電源キーなどにより電源オフ操作を検出し、受け付けると（ステップＳ１０１）、ステップＳ１０２に遷移する。
【００４５】
ステップＳ１０２において制御手段４４は、ペン検出手段４７より入力ペン４１の収納状態を取得し、全ての入力ペン４１がペン収納部４２に収納されているか否かを調べる（ステップＳ１０２）。全ての入力ペン４１がペン収納部４２に収納されている場合（ステップＳ１０２：Ｙ）、ステップＳ１０７に遷移する。いずれかの入力ペン４１がペン収納部４２に収納されていない場合（ステップＳ１０２：Ｎ）、ステップＳ１０３に遷移する。ステップＳ１０２と、後述するステップＳ１０５がペン検出ステップに相当する。
【００４６】
ステップＳ１０３において制御手段４４は、いずれかの入力ペン４１がペン収納部４２に収納されていないことを示す警告メッセージＭ１を画像投写手段１０により投写し、ステップＳ１０４に遷移する。このときの警告メッセージＭ１を図５に示す。
【００４７】
ステップＳ１０４において制御手段４４は、いずれかの入力ペン４１がペン収納部４２に収納されていないことを報知手段４６に報知させ、ステップＳ１０５に遷移する。
【００４８】
ステップＳ１０５において制御手段４４は、ペン検出手段４７より入力ペン４１の収納状態を取得し、全ての入力ペン４１がペン収納部４２に収納されているか否かを調べる（ステップＳ１０５）。全ての入力ペン４１がペン収納部４２に収納されている場合（ステップＳ１０５：Ｙ）、ステップＳ１０６に遷移する。いずれかの入力ペン４１がペン収納部４２に収納されていない場合（ステップＳ１０５：Ｎ）、ステップＳ１０５を繰り返す。ステップＳ１０３、ステップＳ１０４、およびステップＳ１０５が制御ステップに相当する。なお、入力ペン４１の収納状態が変化した場合（例えば、ペンＡ、ペンＢが未収納だった状態からペンＡのみ収納されたような場合）、警告メッセージＭ１の表示メッセージを変えるようにしてもよい。
【００４９】
ステップＳ１０６において制御手段４４は、報知手段４６による報知を終了させ、ステップＳ１０７に遷移する。
【００５０】
ステップＳ１０７において制御手段４４は、光源制御手段２２により光源１１を消灯させ、ステップＳ１０８に遷移する。
【００５１】
ステップＳ１０８において制御手段４４は、プロジェクターシステム１００の電源をオフしてスタンバイ状態に移行させ、本動作フローを終了する。
【００５２】
なお、上述したステップＳ１０２、ステップＳ１０５において、「全ての入力ペン４１」とは、ペン収納部４２の全てを埋める本数でもよいし、ペン収納部４２の一部を埋める本数と定められていてもよい。
【００５３】
［スタンバイ状態で入力ペンが取り出されたことを検出したとき］
図４（ｂ）に示すように、プロジェクターシステム１００がスタンバイ状態において、ペン検出手段４７により、入力ペン４１のいずれかがペン収納部４２より取り出されたことを検出すると（ステップＳ２０１）、ステップＳ２０２に遷移する。
【００５４】
ステップＳ２０２において制御手段４４は、光源制御手段２２により光源１１を点灯させ、ステップＳ２０３に遷移する。
【００５５】
ステップＳ２０３において画像信号入力手段１８に入力される画像情報を画像投写手段１０に投写させ、本動作フローを終了する。
【００５６】
［入力ペンのロックまたは解除操作を検出したとき］
図４（ｃ）に示すように、プロジェクターシステム１００が入力操作手段４３によるペンロック機構４２Ｂのロック操作または解除操作を検出すると（ステップＳ３０１）、ステップＳ３０２に遷移する。
【００５７】
ステップＳ３０２において制御手段４４は、ペンロック機構４２Ｂに指示し、ペンカバー４２Ａをロック状態、または解除状態とし、ステップＳ３０３に遷移する。
【００５８】
ステップＳ３０３において本動作フローを終了する。
【００５９】
以上、説明したように、本実施形態のプロジェクターシステム１００によれば、電源オフ操作を受け付けたとき、全ての入力ペン４１がペンホルダー４０に収納されるまで電源オフを保留する。これにより、プロジェクターシステム１００を使用終了後に全ての入力ペン４１をペンホルダー４０に戻すようユーザーに促し、入力ペン４１がペンホルダー４０に収納されない状態のままでプロジェクターシステム１００の電源がオフされるのを防止することが可能となる。
【００６０】
また、いずれかの入力ペン４１をペンホルダー４０から取り出したときにプロジェクターシステム１００が電源オンするので、プロジェクターシステム１００を使用する際、入力ペン４１を取り出すだけで電源オン操作を省略することが可能となる。
【００６１】
また、所定のロック操作でペンホルダー４０からの入力ペン４１の取り出しをロックできるので、ペンホルダー４０から不正に入力ペン４１が持ち出されるのを防止することが可能となる。
【００６２】
また、プロジェクターシステム１００が電源オフ操作を受け付けたとき、いずれかの入力ペン４１がペンホルダー４０のペン収納部４２に収納されていない場合に報知手段４６により報知するので、入力ペン４１をペン収納部４２に収納するようユーザーに促すことが可能となる。
【００６３】
また、本実施形態は、以下のように変更してもよい。
（変形例１）
上記実施形態において、入力ペン４１をペンホルダー４０から取り出してプロジェクターシステム１００の電源をオンして使用した後、再度ペンホルダー４０に収納することにより、プロジェクターシステム１００の電源をオフするようにしてもよい。これにより、入力ペン４１の取り出しと収納のみでプロジェクターシステム１００の電源オン・オフを行うことが可能となる。
【符号の説明】
【００６４】
１…プロジェクター、１０…画像投写手段、１１…光源、１２Ｒ，１２Ｇ，１２Ｂ…液晶ライトバルブ、１３…投写レンズ、１４…液晶駆動手段、１６…ＯＳＤ処理手段、１７…画像信号処理手段、１８…画像信号入力手段、２２…光源制御手段、２５…ペン操作検出手段、２９…第１電源部、４０…ペンホルダー、４１…入力ペン、４２…ペン収納部、４２Ａ…ペンカバー、４２Ｂ…ペンロック機構、４３…入力操作手段、４４…制御手段、４５…記憶手段、４６…報知手段、４７…ペン検出手段、４８…第２電源部、４９…筐体、１００…プロジェクターシステム、ＣＡ…ケーブル。
【図１】
2014066962.tif 000003
【図２】
2014066962.tif 000004
【図３】
2014066962.tif 000005
【図４】
2014066962.tif 000006
【図５】
2014066962.tif 000007